(57)【要約】【課題】投稿者が新たなコンテンツを投稿した旨の通知を関係者が受信し、関係者がそのコンテンツを即座に閲覧した場合に、不完全な状態のコンテンツを閲覧してしまう事態を低減することができるコミュニケーションサイトにおける投稿通知方法を提供する。【解決手段】  投稿者が自己のページに新たに掲載する日記を携帯電話等の端末（投稿者端末）から行う場合に、日記の構成要素としてテキストと画像を別々にサーバに投稿するものとする（ステップＳ１２、ステップＳ１４）。このときサーバでは、日記の構成要素として最初に投稿されたテキストを受信し、登録した時（ステップＳ１６）からの時間を計測し（ステップＳ２０）、一定時間（例えば１０分）が経過した後に（ステップＳ２２）、投稿者に関連付けされた関係者の端末に投稿があった旨の投稿通知メールを配信する（ステップＳ２４、ステップＳ２６）。【選択図】  図２
2008257457.tif 000002
【特許請求の範囲】
【請求項１】
通信ネットワークを通じてサーバに接続された端末において閲覧可能となるコンテンツの投稿が投稿者の端末により行われた場合に、該投稿者に関連付けされた関係者の端末に前記コンテンツの投稿があった旨の通知を行うコミュニケーションサイトにおける投稿通知方法において、
前記コンテンツの構成要素を複数回に分けて構成要素ごとに投稿する場合に、前記コンテンツのいずれかの構成要素が最初に投稿された時点から予め決められた一定時間が経過すると、前記サーバから前記関係者に前記コンテンツの投稿があった旨の通知を行うことを特徴とするコミュニケーションサイトにおける投稿通知方法。
【請求項２】
通信ネットワークを通じてサーバに接続された端末において閲覧可能となるコンテンツの投稿が投稿者の端末により行われた場合に、該投稿者に関連付けされた関係者の端末に前記コンテンツの投稿があった旨の通知を行うコミュニケーションサイトにおける投稿通知方法において、
前記コンテンツの構成要素を複数回に分けて構成要素ごとに投稿する場合に、前記投稿者の端末における前記コンテンツの投稿に関連する操作が停止すると、前記サーバから前記関係者に前記コンテンツの投稿があった旨の通知を行うことを特徴とするコミュニケーションサイトにおける投稿通知方法。
【請求項３】
通信ネットワークを通じてサーバに接続された端末において閲覧可能となるコンテンツの投稿が投稿者の端末により行われた場合に、該投稿者に関連付けされた関係者の端末に前記コンテンツの投稿があった旨の通知を行うコミュニケーションサイトにおける投稿通知方法において、
前記コンテンツの構成要素を複数回に分けて構成要素ごとに投稿する場合に、前記投稿者の端末から前記サーバに対して前記コンテンツの構成要素の種類又は数に関する情報を事前に指定しておき、該指定された全ての構成要素の種類又は数の投稿が行われると、前記サーバから前記関係者の端末に前記コンテンツの投稿があった旨の通知を行うことを特徴とするコミュケーションサイトにおける投稿通知方法。
【請求項４】
通信ネットワークを通じてサーバに接続された端末において閲覧可能となるコンテンツの投稿が投稿者の端末により行われた場合に、該投稿者に関連付けされた関係者の端末に前記コンテンツの投稿があった旨の通知を行うコミュニケーションサイトにおける投稿通知方法において、
前記コンテンツの構成要素を複数回に分けて構成要素ごとに投稿する場合に、前記コンテンツの投稿が完了したことを前記サーバに通知する操作が前記投稿者の端末で行われと、前記サーバから前記関係者の端末に前記コンテンツの投稿があった旨の通知を行うことを特徴とするコミュケーションサイトにおける投稿通知方法。
【請求項５】
前記コンテンツは日記であり、テキストと画像を構成要素とすることを特徴とする請求項１乃至４のうちいずれか１に記載のコミュケーションサイトにおける投稿通知方法。
【請求項６】
前記関係者に対する前記コンテンツの投稿があった旨の通知は、電子メールで行われることを特徴とする請求項１乃至５のうちいずれか１に記載のコミュケーションサイトにおける投稿通知方法。
【請求項７】
前記投稿者の端末は、携帯電話であることを特徴とする請求項１乃至６のうちいずれか１に記載のコミュケーションサイトにおける投稿通知方法。
【発明の詳細な説明】
【技術分野】
【０００１】
本発明はコミュニケーションサイトにおける投稿通知方法に係り、特にＳＮＳ（ソーシャル・ネットワーキング・サービス:Social Networking Service）として提供されているコミュニケーションサイトにおいて所定の投稿者から日記等の自己のページに関するコンテンツの新たな投稿があった場合に、関係者に投稿があった旨の通知を電子メール等で行うためのコニュニケーションサイトにおける投稿通知方法に関する。
【背景技術】
【０００２】
近年、ＳＮＳ（ソーシャル・ネットワーキング・サービス:Social Networking Service）といわれるインターネット上の招待制コミュニケーションサイトが話題を集めており、多くの会員を抱えるサービスが台頭している。このようなコミュニケーションサイトにおいて、仲間（会員）同士のコミュニケーションの活性化を図るため、会員の一人が自己のページに掲載する新たなコンテンツ（日記等）を携帯電話等から投稿した際に、その投稿者と友達等として関連付けされている関係者に、新たなコンテンツの投稿があった旨を電子メール等により通知することが一般的に行われている。
【発明の開示】
【発明が解決しようとする課題】
【０００３】
ところで、上記のようなコミュニケーションサイトにおいて、例えば、いつでも携帯している即時性のある携帯電話から「今」の状況を写真付きで日記として投稿する機会が多い。この場合に、日記を投稿する手順として、サービス提供サーバに日記の構成要素となる画像を送ってからテキストを送るという場合や、テキストを送ってから画像を送るという場合のように日記を投稿する際の状況によって日記の構成要素を一括して送信するのではなく、投稿可能となった構成要素（テキスト又は画像）を逐次送信するという場合がある。
【０００４】
これに対して従来では、通常、投稿者が日記として掲載するいずれかの構成要素（テキスト又は画像）を最初に投稿した際に、日記の投稿があった旨の電子メール（通知メール）が関係者に配信されるようになっている。そのため、その通知メールを受信した関係者が、投稿者の日記を即座に閲覧すると、不完全な状態の日記を閲覧することになってしまうという問題があった。
【０００５】
本発明はこのような事情に鑑みてなされたもので、投稿者が新たなコンテンツを投稿した旨の通知を関係者が受信し、関係者がそのコンテンツを即座に閲覧した場合に、不完全な状態のコンテンツを閲覧してしまう事態を低減することができるコミュニケーションサイトにおける投稿通知方法を提供することを目的とする。
【課題を解決するための手段】
【０００６】
前記目的を達成するために請求項１に記載のコミュニケーションサイトにおける投稿通知方法は、通信ネットワークを通じてサーバに接続された端末において閲覧可能となるコンテンツの投稿が投稿者の端末により行われた場合に、該投稿者に関連付けされた関係者の端末に前記コンテンツの投稿があった旨の通知を行うコミュニケーションサイトにおける投稿通知方法において、前記コンテンツの構成要素を複数回に分けて構成要素ごとに投稿する場合に、前記コンテンツのいずれかの構成要素が最初に投稿された時点から予め決められた一定時間が経過すると、前記サーバから前記関係者に前記コンテンツの投稿があった旨の通知を行うことを特徴としている。
【０００７】
本発明によれば、日記等のコンテンツの構成要素、例えば、テキストや画像を複数回に分けて投稿する場合に、最初の構成要素の投稿があった後に即座に投稿があった旨が関係者に通知されるのではなく、一定時間経過した後に通知される。従って、その一定時間の間にコンテンツの全ての構成要素を投稿すれば、通知を受けた関係者が即座にそのコンテンツを閲覧した場合であっても完全な状態のコンテンツを閲覧することができる。
【０００８】
請求項２に記載のコミュニケーションサイトにおける投稿通知方法は、通信ネットワークを通じてサーバに接続された端末において閲覧可能となるコンテンツの投稿が投稿者の端末により行われた場合に、該投稿者に関連付けされた関係者の端末に前記コンテンツの投稿があった旨の通知を行うコミュニケーションサイトにおける投稿通知方法において、前記コンテンツの構成要素を複数回に分けて構成要素ごとに投稿する場合に、前記投稿者の端末における前記コンテンツの投稿に関連する操作が停止すると、前記サーバから前記関係者に前記コンテンツの投稿があった旨の通知を行うことを特徴としている。
【０００９】
本発明によれば、日記等のコンテンツの構成要素、例えば、テキストや画像を複数回に分けて投稿する場合に、投稿者がコンテンツの投稿に関連する操作を停止した後に、コンテンツの投稿があった旨が関係者に通知される。従って、操作者がコンテンツの投稿に関連する操作を停止することなく継続的に全ての構成要素を投稿すれば、通知を受けた関係者が即座にそのコンテンツを閲覧した場合であっても完全な状態のコンテンツを閲覧することができる。
【００１０】
請求項３に記載のコミュニケーションサイトにおける投稿通知方法は、通信ネットワークを通じてサーバに接続された端末において閲覧可能となるコンテンツの投稿が投稿者の端末により行われた場合に、該投稿者に関連付けされた関係者の端末に前記コンテンツの投稿があった旨の通知を行うコミュニケーションサイトにおける投稿通知方法において、前記コンテンツの構成要素を複数回に分けて構成要素ごとに投稿する場合に、前記投稿者の端末から前記サーバに対して前記コンテンツの構成要素の種類又は数に関する情報を事前に指定しておき、該指定された全ての構成要素の種類又は数の投稿が行われると、前記サーバから前記関係者の端末に前記コンテンツの投稿があった旨の通知を行うことを特徴としている。
【００１１】
本発明によれば、日記等のコンテンツの構成要素、例えば、テキストや画像を複数回に分けて投稿する場合に、投稿するコンテンツの構成要素の種類又は数に関する情報を事前にサーバに通知しておき、その情報に基づいてコンテンツの全ての構成要素が投稿されたと判断した場合に、コンテンツの投稿があった旨が関係者に通知される。従って、コンテンツの全ての構成要素が投稿されてから、コンテンツの投稿があった旨が関係者に通知されるため、通知を受けた関係者が即座にそのコンテンツを閲覧した場合であっても完全な状態のコンテンツを閲覧することができる。
【００１２】
請求項４に記載のコミュニケーションサイトにおける投稿通知方法は、通信ネットワークを通じてサーバに接続された端末において閲覧可能となるコンテンツの投稿が投稿者の端末により行われた場合に、該投稿者に関連付けされた関係者の端末に前記コンテンツの投稿があった旨の通知を行うコミュニケーションサイトにおける投稿通知方法において、前記コンテンツの構成要素を複数回に分けて構成要素ごとに投稿する場合に、前記コンテンツの投稿が完了したことを前記サーバに通知する操作が前記投稿者の端末で行われと、前記サーバから前記関係者の端末に前記コンテンツの投稿があった旨の通知を行うことを特徴としている。
【００１３】
本発明によれば、日記等のコンテンツの構成要素、例えば、テキストや画像を複数回に分けて投稿する場合に、コンテンツの投稿が完了したことを通知する操作が操作者の端末により行われると、コンテンツの投稿があった旨が関係者に通知される。従って、操作者がコンテンツの全ての構成要素を投稿した後、投稿が完了したことを通知する操作を行うことによって、通知を受けた関係者が即座にそのコンテンツを閲覧した場合であっても完全な状態のコンテンツを閲覧することができる。
【００１４】
請求項５に記載のコミュニケーションサイトにおける投稿通知方法は、請求項１乃至４のうちのいずれか１に記載の発明において、前記コンテンツは日記であり、テキストと画像を構成要素とすることを特徴としている。本発明は、関係者に対して投稿があった旨の通知が行われるコンテンツを日記に限定したものであると共に、日記の構成要素としてテキスト（文章）と画像を有する態様に限定したものである。
【００１５】
請求項６に記載のコミュニケーションサイトにおける投稿通知方法は、請求項１乃至５のうちいずれか１に記載の発明において、前記関係者に対する前記コンテンツの投稿があった旨の通知は、電子メールで行われることを特徴としている。本発明は、コンテンツの投稿があった旨の関係者への通知を電子メールで行う態様に限定したものである。
【００１６】
請求項７に記載のコミュニケーションサイトにおける投稿通知方法は、請求項１乃至６のうちいずれか１に記載の発明において、前記投稿者の端末は、携帯電話であることを特徴としている。本発明は、投稿者の端末を携帯電話に限定した態様であり、携帯電話で日記などのコンテンツを投稿する場合に、コンテンツの構成要素を一括して投稿するのでなく、投稿可能となった構成要素から順次投稿する場合が多く、上記請求項１〜７の発明が特に有効である。
【発明の効果】
【００１７】
本発明によれば、投稿者が新たなコンテンツを投稿した旨の通知を関係者が受信し、関係者がそのコンテンツを即座に閲覧した場合であって、不完全な状態のコンテンツを閲覧してしまう事態を低減することができる。
【発明を実施するための最良の形態】
【００１８】
以下、添付図面に従って本発明に係るコミュニケーションサイトにおける投稿通知方法を実施するための最良の形態について詳説する。
【００１９】
図１は、本発明が適用されるサービス提供システムの全体構成を示したシステム図である。同図のサービス提供システムは、ＳＮＳとして例えば招待性のコミュニケーションサイトを運営、管理するサービス提供サーバ１０と、サービス提供サーバ１０が接続されるインターネット等の通信ネットワーク１２と、通信ネットワークに接続可能であってユーザが使用する携帯電話１４、１６、１６…や図示しないパソコン等の端末機器（以下、単に端末という）などから構成されている。尚、同図では端末として投稿者（後述）が所有する携帯電話１４とその関係者（後述）が所有する携帯電話１６、１６、…のみを示しているが、投稿者や関係者が所有する端末は携帯電話以外にパソコン、ＰＤＡ等の通信ネットワークに接続可能な機器であればどのような種類の端末であってもよい。
【００２０】
端末１４、１６、１６、…とサービス提供サーバ１０とは、通信ネットワーク１２を通じてデータの送受信を行うことができるようになっており、ユーザは端末１４、１６、１６、…を通信ネットワーク１２に接続することによってサービス提供サーバ１０が提供するコミュニケーションサイトにアクセスすることができようになっている。同図のように端末１４、１６、１６、…として携帯電話を使用する場合には、それらの端末１４、１６、１６、…は、電波信号を送受信する基地局１３（複数の基地局を示す）を介して通信ネットワーク１２に接続される。そのコミュニケーションサイトでは、にすでに会員登録されているユーザからの招待により新たなユーザがそのコミュニケーションサイトに会員登録することができ、会員登録したユーザはそのコミュニケーションサイトによって提供される各種サービスを受けることができるようになっている。
【００２１】
コニュケーションサイトのサービスとして、例えば、各会員ごとのページが用意され、そのページに会員から投稿された日記やプロフィール等が掲載されて他の会員が閲覧することができるサービスや、会員間で友達等として任意に関連付けることができ、その関係を利用したサービスなどが提供される。
【００２２】
サービス提供サーバ１０は、このようなコミュニケーションサイトの運営をするために、通信ネットワーク１２を通じて接続された端末１４、１６、１６、…との間での各種データの送受信を行い、また、各会員に関するデータの管理や配信するコンテンツの管理などを行っている。サービス提供サーバ１０によって管理される会員情報データベース２０には、会員の名前や電子メールアドレス、各会員間で友達等として関連付けされた関係者に関するデータなどが格納されている。コンテンツデータベース２２には、各会員から投稿された日記のデータのように、各会員の端末からの要求に応じて端末に配信するコンテンツに関するデータ等が格納されている。
【００２３】
以上のようなシステムにおいて、サービス提供サーバ１０によって運営されるコミュニケーションサイトが会員に提供するサービスとして、会員からの日記の投稿をその会員の関係者に通知する投稿通知サービスがあり、以下においてその投稿通知サービスについて説明する。
【００２４】
各会員は、自己の端末でサービス提供サーバ１０が運営するコミュニケーションサイトにアクセスし、自己のページに掲載する日記を所定の操作によって端末から投稿することができるようになっている。これによって会員の一人が日記を投稿した場合に、その会員（投稿者という）と友達等として関連付けされた他の会員（関係者という）の端末に対して、投稿者からの新たな日記の投稿があった旨の通知が電子メール（投稿通知メールという）を利用してサービス提供サーバ１０から送信されるようになっている。尚、図１に示したように投稿者が所有する端末を投稿者端末１４といい、その関係者が所有する端末を関係者端末１６というものとのする。
【００２５】
また、各会員のページには、文章（テキスト）に画像を付加した画像付き日記を掲載することができるようになっており、例えば投稿者が自己の投稿者端末１４で作成した文章（テキスト）と、携帯電話等の端末に搭載されているデジタルカメラなどで撮影した画像を、日記を構成するデータ（構成要素）として投稿することもできるようになっている。
【００２６】
一方、投稿者がこのような画像付き日記を投稿する場合に、テキストの投稿と画像の投稿を比較的長い時間差をおいて行う場合がある。従来では、日記の投稿があった旨の関係者への投稿通知メールは、最初の投稿が行われたときに送信されている。そのため、その投稿通知メールを受信した関係者が通知された日記を即座に閲覧すると、不完全な状態の日記を閲覧することになる場合があった。
【００２７】
そこで、このような問題を解決するために、以下の第１の実施の形態〜第４の実施の形態で示すような投稿通知方法が考えられる。それらの実施の形態における投稿通知方法によれば、投稿通知メールを受信した関係者が、その日記を即座に閲覧した場合であっても、不完全の状態の日記を閲覧する可能性が大幅に低減される。
【００２８】
図２は、投稿者により新たな日記の投稿があった旨を通知する投稿通知方法の第１の実施の形態の処理手順を示したシーケンス図である。尚、同図のシーケンス図には、日記を投稿する投稿者の投稿者端末１４と、サーバ管理者によって管理されるサービス提供サーバ１０と、投稿者に関連付けされた関係者の関係者端末１６（関係者端末１６は各関係者の関係者端末を示す）の各々で行われる処理が時系列で示されている。
【００２９】
まず、サービス提供サーバ１０のサーバ管理者は、予め関係者への投稿通知メールの投稿時間を設定しておく（ステップＳ１０）。例えば１０分程度に設定しておくことが望ましい。
【００３０】
一方、投稿者は新たな日記（日記１とする）を投稿するため、日記１の構成要素としてテキストを投稿した後、所定時間後に同じ日記１の構成要素として画像を投稿するものとする。このとき、投稿者は、投稿者端末１４でサービス提供サーバ１０が運営するコミュニケーションサイトにアクセスし、投稿者端末１４とサービス提供サーバ１０を通信ネットワーク１２を通じて接続する。そして、投稿者が所定の操作を行うことによって、投稿者端末１４から日記１の構成要素とするテキストのデータがサービス提供サーバ１０に送信される（ステップＳ１２）。続いて、一定時間が経過した後、同じ日記１の構成要素とする画像のデータがサービス提供サーバ１０に送信される（ステップＳ１４）。尚、投稿者端末１４は、このように日記を投稿する際に種類の異なる複数の構成要素を複数回に分けて投稿するための手段を備えている（第２〜第４の実施の形態においても同様）。
【００３１】
サービス提供サーバ１０は、ステップＳ１２において投稿者のページに新たに掲載する日記１の構成要素として投稿者端末１４から初めて送信されたテキストのデータを受信すると、そのテキストのデータを日記１のデータとして登録する（ステップＳ１６）。即ち、コンテンツデータベース２２にそのデータを登録する。
【００３２】
続いて、ステップＳ１４において投稿者端末１４から送信された日記１の画像のデータを受信すると、そのデータをステップＳ１６で登録した日記１の構成要素として追加するため、コンテンツデータベース２２に登録されている日記１のデータを更新する（ステップＳ１８）。即ち、ステップＳ１６においてコンテンツデータベース２２にテキストのデータを登録した日記１の他の構成要素として画像のデータを追加する。このように、サービス提供サーバ１０で、同一の日記の複数の構成要素を別々に受信した場合にでも同一の日記の構成要件として登録する手段を備えている（第２から第４の実施の形態においても同様）。
【００３３】
一方、サービス提供サーバ１０は、ステップＳ１６において投稿者のページに新たに掲載する日記１の構成要素を初めて登録した時点でタイマーを起動させる（ステップＳ２０）。これによって、投稿者により投稿された日記１の構成要素を最初に登録したときからの経過時間がタイマーにより計測する。
【００３４】
そして、サービス提供サーバ１０は、タイマーにより計測された時間を参照して、日記１の構成要素を最初に登録した時点から、ステップＳ１０で設定した通知メール投稿時間（例えば１０分）が経過したか否かを判定する（ステップＳ２２）。
【００３５】
ＮＯと判定している間は、継続してステップＳ２２の判定を行う。その間、投稿者端末１４から日記１の他の構成要素として登録するデータを受信した場合には、ステップＳ１８のようにその都度、日記１のデータを更新する。
【００３６】
一方、ステップＳ２２においてＹＥＳと判定した場合には、会員情報データベース２０を参照して投稿者と友達等として関連付けされた関係者を検索し、検索した関係者の電子メールを取得する。そして、各関係者の電子メールアドレスを使用して各関係者の関係者端末１６に対して投稿者からの日記１の投稿があった旨を通知する投稿通知メールを配信する（ステップＳ２４）。
【００３７】
これによって、各関係者の関係者端末１６において、サービス提供サーバ１０から配信された投稿通知メールが受信される（ステップＳ２６）。
【００３８】
即ち、サービス提供サーバ１０は、投稿者端末１４から新たな日記の最初の構成要素の投稿があった場合に、その投稿があった時から予め決められた一定時間が経過したときに投稿通知メールを関係者には配信する手段を備えている。尚、サービス提供サーバ１０は、会員同士の関連を管理する手段を備えており、投稿者に関連付けされた関係者を特定する手段も備えている（第２〜第４の実施の形態においても同様）。
【００３９】
以上の処理によれば、関係者が投稿通知メールを受信することによって、投稿者により新たな日記の投稿があったことを知り、その日記を即座に閲覧した場合に、ステップＳ１０で設定された通知メール投稿時間（例えば１０分）以内に投稿者により投稿された全ての構成要素が反映された日記を閲覧することができる。従って、投稿者が日記の構成要素とするテキストと画像のすべてのデータを通知メール投稿時間以内に投稿すれば関係者は完全な状態の日記を閲覧することができる。
【００４０】
尚、図２のシーケンス図では、投稿者が自己のページに新たに掲載する日記の構成要素としてテキストを投稿した後、画像を投稿する場合について説明したが、これに限らず、新たに掲載する日記の構成要素として画像を投稿した後、テキストを投稿する場合、テキストのみ又は画像のみを投稿する場合、又は、それらのテキストや画像を複数回に分けて所望の順序で投稿する場合等であっても、その日記のいずれかの構成要素を最初に投稿（登録）した時点から通知メール投稿時間が経過した後に関係者に投稿通知メールが送信されることになる。従って、投稿者が通知メール投稿時間以内に同一の日記の全ての構成要素を投稿すれば、投稿通知メールを受信した関係者が即座にその日記を閲覧した場合であっても完全な状態の日記を閲覧することができるようになる。
【００４１】
図３は、投稿者により新たな日記の投稿があった旨を通知する投稿通知方法の第２の実施の形態の処理手順を示したシーケンス図である。尚、同図のシーケンス図には、第１の実施の形態のシーケンス図と同様に、日記を投稿する投稿者の投稿者端末１４と、サーバ管理者によって管理されるサービス提供サーバ１０と、投稿者に関連付けされた関係者の関係者端末１６（関係者端末１６は各関係者の関係者端末を示す）の各々で行われる処理が時系列で示されている。
【００４２】
まず、サービス提供サーバ１０のサーバ管理者は、予め後述の停止検出時間を設定しておく（ステップＳ３０）。例えば１分程度に設定しておくことが望ましい。
【００４３】
一方、投稿者は新たな日記（日記１とする）を投稿するため、日記１の構成要素としてテキストを投稿した後、所定時間後に同じ日記１の構成要素として画像を投稿するものとする。このとき、投稿者は、投稿者端末１４でサービス提供サーバ１０が運営するコミュニケーションサイトにアクセスし、投稿者端末１４とサービス提供サーバ１０を通信ネットワーク１２を通じて接続する。そして、投稿者が所定の操作を行うことによって、投稿者端末１４から日記１の構成要素とするテキストのデータがサービス提供サーバ１０に送信される（ステップＳ３２）。続いて、一定時間が経過した後、同じ日記１の構成要素とする画像のデータがサービス提供サーバ１０に送信される（ステップＳ３４）。
【００４４】
サービス提供サーバ１０は、ステップＳ３２において投稿者のページに新たに掲載する日記１の構成要素として投稿者端末１４から初めて送信されたテキストのデータを受信すると、そのテキストデータを日記１のデータとして登録する（ステップＳ３６）。即ち、コンテンツデータベース２２にそのデータを登録する。
【００４５】
続いて、ステップＳ３４において投稿者端末１４から送信された日記１の画像のデータを受信すると、そのデータをステップＳ３６で登録した日記１の構成要素として追加するため、コンテンツデータベース２２に登録されている日記１のデータを更新する（ステップＳ３８）。即ち、ステップＳ３６においてコンテンツデータベース２２にテキストのデータを登録した日記１の他の構成要素として画像のデータを追加する。
【００４６】
一方、サービス提供サーバ１０は、ステップＳ３６において投稿者のページに新たに掲載する日記１の構成要素を初めて登録した後、投稿者が投稿に関連する操作（投稿関連操作）を行っているか否かを検知する（ステップＳ４０）。例えば、サービス提供サーバ１０のコミュニケーションサイトにおいて投稿者が投稿者端末１４により日記の投稿に関連するページにアクセスしているか否かを検知する。尚、どのページにアクセスしているかに限らず、投稿者端末１４がサービス提供サーバ１０に継続して接続されているか否かを検出してもよいし、操作者の投稿関連操作が継続していることを示す信号を投稿者端末１４から受信できるようにしても良い。このようにサービス提供サーバ１０は、投稿者端末１４において投稿関連操作が行われているか否かを検知する手段を備えている。
【００４７】
投稿関連操作が継続している間に、投稿者端末１４から日記１の他の構成要素として登録するデータを受信した場合には、ステップＳ３８のようにその都度、日記１のデータを更新する。
【００４８】
続いて、投稿関連操作が停止した場合に、その時点からステップＳ３０で設定した停止検出時間（例えば（例えば１分）が経過したか否かを判定する（ステップＳ４２）。
【００４９】
ＮＯと判定している間は、継続してステップＳ４２の判定を行う。一方、ＹＥＳと判定した場合には、会員情報データベース２０を参照して投稿者と友達等として関連付けされた関係者を検索し、検索した関係者の電子メールを取得する。そして、各関係者の電子メールアドレスを使用して各関係者の関係者端末１６に対して投稿者からの日記１の投稿があった旨を通知する投稿通知メールを配信する（ステップＳ４４）。
【００５０】
これによって、各関係者の関係者端末１６において、サービス提供サーバ１０から配信された投稿通知メールが受信される（ステップＳ４６）。
【００５１】
即ち、サービス提供サーバ１０は、投稿者端末１４において投稿関連操作が停止した後に、投稿通知メールを関係者に配信する手段を備えている。
【００５２】
以上の処理によれば、関係者が投稿通知メールを受信することによって、投稿者により新たな日記の投稿があったことを知り、その日記を即座に閲覧した場合に、投稿者が投稿関連操作を継続している間に投稿者により投稿された全ての構成要素が反映された日記を閲覧することができる。従って、投稿者が日記の構成要素とするテキストと画像のすべてのデータを投稿関連操作を継続している間に投稿すれば関係者は完全な状態の日記を閲覧することができる。
【００５３】
尚、図３のシーケンス図では、投稿者が時候のページに新たに掲載する日記の構成要素としてテキストを投稿した後、画像を投稿する場合について説明したが、これに限らず、新たに掲載する日記の構成要素として画像を投稿した後、テキストを投稿する場合、テキストのみ又は画像のみを投稿する場合、又は、それらのテキストや画像を複数回に分けて所望の順序で投稿する場合等であっても、その日記の構成要素を最初に投稿した時点から継続した投稿関連操作が停止した後に、関係者に投稿通知メールが送信されることになる。従って、投稿者が投稿関連操作を継続しながら、同一の日記の全ての構成要素を投稿すれば、投稿通知メールを受信した関係者が即座にその日記を閲覧した場合であっても完全な状態の日記を閲覧することができるようになる。
【００５４】
図４は、投稿者により新たな日記の投稿があった旨を通知する投稿通知方法の第３の実施の形態の処理手順を示したシーケンス図である。尚、同図のシーケンス図には、第１及び第２の実施の形態のシーケンス図と同様に、日記を投稿する投稿者の投稿者端末１４と、サーバ管理者によって管理されるサービス提供サーバ１０と、投稿者に関連付けされた関係者の関係者端末１６（関係者端末１６は各関係者の関係者端末を示す）の各々で行われる処理が時系列で示されている。
【００５５】
まず、投稿者は新たな日記（日記１とする）を投稿するため、投稿者は、投稿者端末１４でサービス提供サーバ１０が運営するコミュニケーションサイトにアクセスし、投稿者端末１４をサービス提供サーバ１０に通信ネットワーク１２を通じて接続する。そして、投稿者が、これから投稿しようとしている日記１の構成要素（ここではコンテンツという）の種類を指定すると、その情報が投稿者端末１４からサービス提供サーバ１０に送信される（ステップＳ５０）。本実施の形態では、投稿する日記１のコンテンツ（投稿コンテンツ）をテキストと画像とし、投稿コンテンツの種類がテキストと画像である旨の情報がサービス提供サーバ１０に送信されるものとする。
【００５６】
次に、投稿者が所定の操作を行うことによって、投稿者端末１４から日記１のコンテンツとしてテキストのデータがサービス提供サーバ１０に送信される（ステップＳ５２）。続いて、一定時間が経過した後、同じ日記１のコンテンツとして画像のデータがサービス提供サーバ１０に送信される（ステップＳ５４）。尚、テキストと画像を投稿する順序は逆でもよい。
【００５７】
一方、サービス提供サーバ１０は、ステップＳ５０において投稿者端末１４から自己のページに新たに掲載する日記１のコンテンツの種類に関する情報を受信すると、その情報に基づいて以後に投稿される（登録する）日記１の投稿コンテンツの種類を設定する（ステップＳ５６）。
【００５８】
続いて、サービス提供サーバ１０は、ステップＳ５２において日記１のコンテンツとして投稿者端末１４から送信されたテキストのデータを受信すると、そのデータを日記１のデータとして登録する（ステップＳ５８）。即ち、コンテンツデータベース２２にそのデータを登録する。
【００５９】
そして、日記１全てのコンテンツの投稿が完了したか否かを、ステップＳ５６で設定した投稿コンテンツに基づいて判定する（ステップＳ６０）。ここで、ＹＥＳと判定した場合には、ステップＳ６６に移行するが、本実施の形態では投稿コンテンツとしてテキストと画像を設定しているため、ステップＳ６０ではＮＯと判定される。そして、日記１のコンテンツとして投稿者端末１４から画像のデータが送信されるのを待機する。
【００６０】
次に、サービス提供サーバ１０は、ステップＳ５４において投稿者端末１４から送信された日記１の画像のデータを受信すると、そのデータを日記１のコンテンツとして追加するため、コンテンツデータベース２２に登録されている日記１のデータを更新する（ステップＳ６２）。即ち、ステップＳ５８においてコンテンツデータベース２２にテキストのデータを登録した日記１の他のコンテンツとして画像のデータを追加する。
【００６１】
そして、サービス提供サーバ１０は、日記１の全てのコンテンツの投稿が完了したか否かを、ステップＳ５６で設定した投稿コンテンツに基づいて判定する（ステップＳ６４）。ここで、ＮＯと判定した場合には、投稿者端末１４から他のコンテンツのデータが送信されるのを待機するが、本実施の形態では投稿コンテンツとしてテキストと画像が設定されており、その両方のデータが登録されたため、ステップＳ６４ではＹＥＳと判定される。尚、更に他のコンテンツの登録が指定されている場合にはそのコンテンツのデータが送信されるのを待機する。
【００６２】
ステップＳ４２においてＹＥＳと判定すると、サービス提供サーバ１０は、会員情報データベース２０を参照して投稿者と友達等として関連付けされた関係者を検索し、検索した関係者の電子メールを取得する。そして、各関係者の電子メールアドレスを使用して各関係者の関係者端末１６に対して投稿者からの日記１の投稿があった旨を通知する投稿通知メールを配信する（ステップＳ６６）。
【００６３】
これによって、各関係者の関係者端末１６において、サービス提供サーバ１０から配信された投稿通知メールが受信される（ステップＳ６８）。
【００６４】
即ち、投稿者端末１４は、新たに掲載する日記の構成要素として予めその種類をサービス提供サーバ１０に通知する手段を備え、サービス提供サーバ１０は、その通知によって指定された全ての種類の構成要素のデータを受信した後に、投稿通知メールを関係者に配信する手段を備えている。
【００６５】
以上の処理によれば、投稿者が日記の全てのコンテンツを投稿した後に、関係者が投稿通知メールを受信するようになるため、関係者が、投稿通知メールにより、その日記を閲覧した場合に、投稿者により投稿された全てのコンテンツが反映された日記を閲覧することができる。
【００６６】
尚、図４のシーケンス図では、投稿者が自己のページに新たに掲載する日記のコンテンツとしてテキストを投稿した後、画像を投稿する場合について説明したが、これに限らず、新たに掲載する日記のコンテンツとして画像を投稿した後、テキストを投稿する場合、テキストのみ又は画像のみを投稿する場合、又は、それらのテキストや画像を複数回に分けて所望の順序で投稿する場合等であっても、有効に適用できる。また。図４の処理では投稿コンテンツの種類としてテキストと画像のみに分類したが、テキストや画像を内容等によって更に細かく分類してそれらを異なる種類の投稿コンテンツとして指定できるようにしてもよい。また、投稿コンテンツの種類ではなく、これから投稿しようとしているコンテンツの数を指定するようにし、指定された数のコンテンツが投稿された後に投稿通知メールを関係者に配信するようにしてもよい。
【００６７】
図５は、投稿者により新たな日記の投稿があった旨を通知する投稿通知方法の第４の実施の形態の処理手順を示したシーケンス図である。尚、同図のシーケンス図には、第１乃至第３の実施の形態のシーケンス図と同様に、日記を投稿する投稿者の投稿者端末１４と、サーバ管理者によって管理されるサービス提供サーバ１０と、投稿者に関連付けされた関係者の関係者端末１６（関係者端末１６は各関係者の関係者端末を示す）の各々で行われる処理が時系列で示されている。
【００６８】
投稿者は新たな日記（日記１とする）を投稿するため、自己のページに掲載する日記１の構成要素としてテキストを投稿した後、所定時間後に同じ日記１の構成要素として画像を投稿するものとする。このとき、投稿者は、投稿者端末１４でサービス提供サーバ１０が運営するコミュニケーションサイトにアクセスし、投稿者端末１４をサービス提供サーバ１０に通信ネットワーク１２を通じて接続する。そして、投稿者が所定の操作を行うことによって、投稿者端末１４から日記１の構成要素としてテキストのデータがサービス提供サーバ１０に送信される（ステップＳ８０）。続いて、一定時間が経過した後、同じ日記１の構成要素として画像のデータがサービス提供サーバ１０に送信される（ステップＳ８２）。
【００６９】
また、投稿者は、日記１の全ての構成要素を投稿した場合には、所定の操作により日記１の投稿が完了した旨の通知を行う。これによって投稿者端末１４からサービス提供サーバ１０にその情報が送信される（ステップＳ８４）。
【００７０】
一方、サービス提供サーバ１０は、ステップＳ８０において投稿者端末１４から日記１の構成要素として初めて送信されたテキストのデータを受信すると、そのデータを日記１のデータとして登録する（ステップＳ１６）。即ち、コンテンツデータベース２２にそのデータを登録する。
【００７１】
続いて、ステップＳ８２において投稿者端末１４から送信された日記１の構成要素とする画像のデータを受信すると、そのデータをステップＳ８６で登録した日記１の構成要素として追加するため、コンテンツデータベース２２に登録されている日記１のデータを更新する（ステップＳ８８）。即ち、ステップＳ８６においてコンテンツデータベース２２にテキストのデータを登録した日記１の構成要素として画像のデータを追加する。
【００７２】
そして、ステップＳ８４において投稿者端末１４から投稿が完了した旨の通知を受信すると、会員情報データベース２０を参照して投稿者と友達等として関連付けされた関係者を検索し、検索した関係者の電子メールを取得する。そして、各関係者の電子メールアドレスを使用して各関係者の関係者端末１６に対して投稿者からの日記１の投稿があった旨を通知する投稿通知メールを配信する（ステップＳ９０）。
【００７３】
これによって、各関係者の関係者端末１６において、サービス提供サーバ１０から配信された投稿通知メールが受信される（ステップＳ９２）。
【００７４】
即ち、投稿者端末１４は、新たに掲載する日記の全ての構成要素の投稿が完了したことをサービス提供サーバ１０に通知する手段を備え、サービス提供サーバ１０は、その通知を受けた後に、投稿通知メールを関係者に配信する手段を備えている。
【００７５】
以上の処理によれば、投稿者が日記の全ての構成要素を投稿した後に、関係者が投稿通知メールを受信するようになるため、関係者が、投稿通知メールにより、その日記を閲覧した場合に、投稿者により投稿された全ての構成要素が反映された日記を閲覧することができる。
【００７６】
尚、図５のシーケンス図では、投稿者が自己のページに新たに掲載する日記の構成要素としてテキストを投稿した後、画像を投稿する場合について説明したが、これに限らず、新たに掲載する日記の構成要素として画像を投稿した後、テキストを投稿する場合、テキストのみ又は画像のみを投稿する場合、又は、それらのテキストや画像を複数回に分けて所望の順序で投稿する場合等であっても、本実施の形態は有効である。
【００７７】
以上、上記第１〜第４の実施の形態において、日記の構成要素としてテキストと画像のみを示したが、これに限らず、日記の構成要素として別々に投稿可能な任意の構成要素を有する場合に適用できる。例えば、テキストであっても題名と本文を別々に投稿できる場合には、それらを別の構成要素として扱うことによって上記第１〜第４の実施の形態と同様の処理を適用することができる。
【００７８】
また、本発明は、日記を投稿する場合に限らず、他のユーザに閲覧可能となる任意のコンテンツを投稿する場合であって、そのコンテンツが複数回に分けて投稿可能な複数の構成要素を有する場合において、そのコンテンツの投稿があった旨の通知を関係者に行う場合に適用できる。
【００７９】
また、上記実施の形態では、会員制及び招待制のコミュニケーションサイトにおける投稿通知方法について説明したが、本発明は、会員制や招待制でないコミュニケーションサイトでの投稿通知方法としても適用できる。
【図面の簡単な説明】
【００８０】
【図１】本発明が適用されるサービス提供システムの全体構成を示したシステム図。
【図２】投稿者により新たな日記の投稿があった旨を通知する投稿通知方法の第１の実施の形態の処理手順を示したシーケンス図。
【図３】投稿者により新たな日記の投稿があった旨を通知する投稿通知方法の第２の実施の形態の処理手順を示したシーケンス図。
【図４】投稿者により新たな日記の投稿があった旨を通知する投稿通知方法の第３の実施の形態の処理手順を示したシーケンス図。
【図５】投稿者により新たな日記の投稿があった旨を通知する投稿通知方法の第４の実施の形態の処理手順を示したシーケンス図。
【符号の説明】
【００８１】
１０…サービス提供サーバ、１２…通信ネットワーク、１４、１６…携帯電話、２０…会員情報データベース、２２…コンテンツデータベース
【図１】
2008257457.tif 000003
【図２】
2008257457.tif 000004
【図３】
2008257457.tif 000005
【図４】
2008257457.tif 000006
【図５】
2008257457.tif 000007